(57)【要約】      （修正有）【課題】  コンピュータシステム、コンピュータシステム内での検索方法、コンピュータプログラム製品、および生産品を提供する。【解決手段】  ユーザインタフェースを具備するコンピュータシステムであり、データベース内を検索するため１つの検索条件を入力し,結果を視覚的に出力するための視覚結果インタフェース２１２と、前記検索の結果の少なくとも１つの要素を選択し、前記選択されたものを視覚的に出力するための視覚選択インタフェース２１３とを具備し、上記、視覚結果インタフェース２１２と視覚選択インタフェース２１３は互いに横に並べて配置するようにした。【選択図】     図２
2004348727.tif 000002
【特許請求の範囲】
【請求項１】
ユーザインタフェース（２０）を具備するコンピュータシステム（１）であって、
前記ユーザインタフェース（２０）は、グラフィカルプログラムインタフェース（２００）を表示するように配置されたディスプレイ装置（２１）を具備し、前記グラフィカルプログラムインタフェース（２００）は、
データベース（３）内を検索するための少なくとも１つの検索条件を入力するための、少なくとも１つの検索コントロール（２１１）と、
前記検索の結果を少なくとも視覚的に出力するための視覚結果インタフェース（２１２）と、
前記結果の少なくとも１つの要素を選択するための少なくとも１つの結果選択コントロール（２１４、２１５）と、前記選択されたものを少なくとも視覚的に出力するための視覚選択インタフェース（２１３）とを具備し、
前記視覚結果インタフェース（２１２）および視覚選択インタフェース（２１３）は互いに横に並べて配置され、
前記コンピュータシステム（１）は、さらに、プロセッサ装置（２４）を具備し、前記プロセッサ装置は、ユーザインタフェース（２０）に通信接続され、前記データベース（３）に接続可能であり、前記プロセッサ装置は、
前記少なくとも１つの検索条件を使用して前記データベース（３）内を検索し、
前記検索の結果を前記視覚結果インタフェース（２１２）に出力し、
前記結果のうち前記選択されたものを前記視覚選択インタフェース（２１３）に出力するように配置されているコンピュータシステム（１）。
【請求項２】
前記ユーザインタフェース（２０）は、さらに、前記選択されたものの少なくとも１つの要素に関連する少なくとも１つのイベントをアクティブにするための、少なくとも１つのコントロールを具備する、請求項１に記載のコンピュータシステム（１）。
【請求項３】
前記イベントは、
前記選択されたものの少なくとも１つの要素に関連する項目について、前記データベース（３）内を検索することと、
前記コンピュータシステム（１）上に記憶されたプログラムコードにしたがった、前記プロセッサのステップによる実行を起動することとからなる群のうち、少なくとも１つを含む、請求項２に記載のコンピュータシステム（１）。
【請求項４】
前記視覚結果インタフェース（２１２）は、前記結果の少なくとも１つに関連するコンピュータプログラムを開くためのコントロールを備えている、請求項１、２、または３に記載のコンピュータシステム（１）。
【請求項５】
前記視覚結果データベース（３）内の好みの項目の、少なくとも１つの所定のリストを表示するためのお気に入りコントロールをさらに具備する、請求項１〜４のいずれか一項に記載のコンピュータシステム（１）。
【請求項６】
コンピュータ化された検索方法であって、
ユーザインタフェース（２０）において、データベース（３）内を検索するための少なくとも１つの検索条件を入力するための、少なくとも１つのコントロールを提供するステップと、
前記少なくとも１つの検索条件を使用して、前記データベース（３）内を検索するステップと、
前記ユーザインタフェース（２０）の視覚結果インタフェース（２１２）において、前記検索の結果を出力するステップと、
前記ユーザインタフェース（２０）において、前記結果の少なくとも一部を選択するための、少なくとも１つのコントロールを提供するステップと、
前記結果の少なくとも１つの要素を選択するステップと、
前記ユーザインタフェース（２０）の視覚選択インタフェース（２１３）において、前記結果のうちの前記選択されたものを出力するステップとを含み、
前記視覚結果インタフェース（２１２）および視覚選択インタフェース（２１３）は互いに横に並べて配置される方法。
【請求項７】
プログラム可能な装置上で実行する場合に、請求項６に記載の方法のステップを実行するためのプログラムコード部分を具備するコンピュータプログラム製品。
【請求項８】
コンピュータで使用可能な媒体を有する生産品であって、前記媒体の中では、前記コンピュータ上で利用可能なリソースへのアクセスを提供するためのコンピュータ読み出し可能命令が実施され、前記コンピュータ読み出し可能命令は、前記コンピュータに請求項６に記載の方法のステップを実行させるための命令を含む生産品。
【発明の詳細な説明】
【技術分野】
【０００１】
本発明は、コンピュータシステム、コンピュータシステム内で情報を検出するための検索方法、コンピュータプログラム製品、および生産品に関する。
【背景技術】
【０００２】
当技術分野では、検索条件を入力するためのコントロールを有するユーザインタフェースを備えた、コンピュータシステムが公知である。前記検索条件は、その後、データベースからデータを取得するための検索操作の間に、前記コンピュータシステムにより使用されることが可能である。前記検索の結果は、ディスプレイ上の視覚結果インタフェース内に、項目のリストとして表示される。前記ユーザインタフェースは、選択コントロールを有し、前記選択コントロールを使用することにより、ユーザは、前記結果の少なくとも１つの要素を選択してもよい。前記選択された結果は、次に、視覚選択インタフェース内に、項目が上から順に並べられたリストとして表示される。この先行技術のシステムでは、前記視覚結果インタフェースと前記視覚選択インタフェースは、縦方向の位置が相互に異なるように配置されている。つまり、一方のインタフェースが、もう一方のインタフェースの上になるように配置されている。前記視覚結果インタフェースと視覚選択インタフェースは、横方向の位置は、同じになるように配置されている。
【発明の開示】
【発明が解決しようとする課題】
【０００３】
しかし、前記公知のシステムの欠点は、使いにくいということである。なぜなら、前記結果および／または前記結果から選択されたものの量が増加するにつれて、各項目について表示される情報が多い場合は特に、前記リストの縦の長さも増加するためである。前記ディスプレイの縦のサイズによっては、ある程度の量の結果または選択された結果に対して、これは、不十分なスペースに前記結果および／または選択されたものを同時に表示するということになる。前記先行技術のコンピュータシステムでは、前記視覚結果インタフェースおよび視覚選択インタフェースは、前記結果または選択されたものをできるだけ多く表示するために、縦方向で重なる部分を有することが可能である。しかし、この先行技術の解決方法には、前記視覚インタフェースの一方の前記項目の少なくとも一部が、もう一方の視覚インタフェースにより覆い隠されて、ユーザに見えなくなるという欠点がある。
【０００４】
本発明の目的は、使いやすさが向上したコンピュータシステムを提供することである。したがって、本発明は、請求項１によるコンピュータシステムを提供する。
【課題を解決するための手段】
【０００５】
前記視覚結果インタフェースと前記視覚選択インタフェースは、互いに横に並べて配置される。前記視覚インタフェースは、したがって、水平方向の同じ位置には配置されない。そのため、比較的大量の結果、および／または、結果が選択されたもの、および／または、結果に関する大量の情報、および／または、選択項目がある場合でも、前記視覚インタフェースにおいて出力される、前記結果や前記選択されたものなどの前記項目は、もう一方の視覚インタフェースにより覆い隠されることはない。
【０００６】
本発明は、さらに、請求項６による方法も提供する。そのような方法では、前記視覚結果インタフェースと前記視覚選択インタフェースは、互いに横に並べて配置され、互いに上下になるようには配置されないため、前記視覚インタフェースのそれぞれに表示される情報は、もう一方の視覚インタフェースにより覆い隠されることはない。
【０００７】
また、本発明は、請求項７によるコンピュータプログラム製品、および請求項８による生産品も提供する。
【０００８】
本発明の特定の実施形態は、従属請求項に記載されている。本発明のさらなる詳細、態様、および実施形態を、単なる一例として、添付の図面に示し、前記添付の図面を参照して以下に説明する。
【発明を実施するための最良の形態】
【０００９】
図１は、データベース３に通信接続されたコンピュータ装置２を具備するコンピュータシステム１の例を示す。前記データベース内には、オブジェクトまたは項目３１が格納されている。オブジェクト３１は、例えば、特定のノウハウまたはその他を説明する、コンピュータ化された知識ベース内の文書であってもよい。同様に、データベース３内には、他のタイプの項目が格納されていてもよい。図１の例では、データベース３は、コンピュータ装置２の外部にあり、コンピュータ装置２に通信接続されているが、前記データベースは、コンピュータ装置２の内部に配置されていてもよい。
【００１０】
コンピュータ装置２は、ユーザインタフェース（ＵＩ）２０を装備しており、ユーザインタフェース２０は、本例では、例えばディスプレイ２１などの、出力インタフェースを具備している。ディスプレイ２１は、グラフィカルユーザインタフェース（ＧＵＩ）とも呼ばれる。前記出力インタフェースにおいては、データが、人に知覚できる形態でユーザに出力されることが可能である。本例では、データは、ディスプレイ２１において、視覚的に出力されることが可能である。ユーザインタフェース２０は、さらに、入力インタフェースを具備し、前記入力インタフェースにおいて、ユーザは、コンピュータ装置２内にデータを入力することが可能である。本例では、前記入力インタフェースは、キーボード２２およびマウス２３を具備する。前記出力インタフェースおよび前記入力インタフェースの両方は、電子式書込みパッドや、音響出力または入力装置などの、図１には示していない構成要素を具備していてもよい。さらに、前記入力インタフェースおよび前記出力インタフェース（の一部）は、タッチスクリーンなどのように、少なくとも部分的に、同一の装置内に組み込まれていてもよい。
【００１１】
図１の例で、コンピュータシステム２は、さらに、プロセッサ２４を具備し、プロセッサ２４は、図１の線で示されているように、ディスプレイ２１、キーボード２２、マウス２３、およびメモリ２５に通信接続されている。プロセッサ２４は、前記入力インタフェースからの入力を処理し、例えばディスプレイ２１における、出力インタフェース内にデータを出力するように配置されている。プロセッサ２４は、さらに、他の装置との間でのデータの送受信、データの操作、メモリ２５内に記憶された１つまたは複数のコンピュータプログラムの実行、またはその他の機能を装備していてもよい。
【００１２】
図１〜３の例で、キーボード２２およびマウス２３を使用してユーザにより実行される動作は、コンピュータシステム１によって、前記ＧＵＩにおいてグラフィカルに表示される。したがって、本例では、前記ＧＵＩにおいてユーザにより動作が実行されると言う場合、前記動作は、キーボード２２およびマウス２３を使用して実行され、前記ＧＵＩでグラフィカルに表示される。ただし、例えばタッチスクリーンなどのように、前記ＧＵＩと前記入力インタフェースを組み合わせることも可能である。そのような場合、前記ＧＵＩにおいてユーザにより実行されると言われる動作は、前記ＧＵＩにおいて表示および実行の両方が行われる。
【００１３】
図１に示すように、ユーザインタフェース２０は、コンピュータシステム２上で実行中のコンピュータプログラム（の少なくとも一部）の、ディスプレイ２１における視覚表現である、グラフィカルプログラムインタフェース２００を具備する。前記コンピュータプログラムは、例えば、コンピュータネットワーク内のノードにおけるユーザに、前記ネットワーク内のサーバ上のリソースへのアクセスを提供してもよい。図１の例で、グラフィカルプログラムインタフェース２００は、例えば、ドイツ、ウォルドルフ市のＳＡＰ  ＡＧ（ＳＡＰ  ＡＧ（Ｗａｌｌｄｏｒｆ，Ｇｅｒｍａｎｙ））により販売されているようなコンピュータ化企業管理システムの、アプリケーション、データ、サービスなどのリソースへのアクセスを可能にする、Ｗｅｂブラウザプログラムのグラフィカル表現である。データベース３内のオブジェクト３１が、特定のノウハウまたはアイデアを説明する文書である場合、前記ブラウザは、例えば、ドイツ、ウォルドルフ市のＳＡＰ  ＡＧ（ＳＡＰ  ＡＧ（Ｗａｌｌｄｏｒｆ，Ｇｅｒｍａｎｙ））により「アイデアブラウザ」（ｉｄｅａ  ｂｒｏｗｓｅｒ）という名前で販売されているようなタイプのブラウザである。その場合、前記データベースは、「アイデアプール」（ｉｄｅａ  ｐｏｏｌ）と呼ばれるものであってもよい。
【００１４】
図２に示すように、グラフィカルプログラムインタフェース２００は、データベース３内を検索するための少なくとも１つの検索条件を入力するための「検索領域」である検索コントロールインタフェース２１１を有する。本例では、検索コントロールインタフェース２１１は、ディスプレイ２１内に表示されるフィールドを具備し、前記フィールドにおいて、ユーザは、キーボード２２およびマウス２３を使用して検索クエリを入力することができる。例えば、前記検索クエリは、データベース３内のオブジェクト３１が満足しなければならない１つまたは複数の検索条件を含んでいてもよい。前記条件は、例えば、データベース３内のオブジェクト３１が特定のＩＤを有していなければならないということであってもよいし、オブジェクト３１が、特定の要件を満足する特性または属性を有するということであってもよい。例えば、オブジェクト３１が、社内の従業員に関する情報を含む項目である場合、前記条件は、例えば、人の名前が特定の文字で始まらなければならないということであってもよいし、前記人に特定の職務が割り当てられているということであってもよい。オブジェクト３１が、特定のノウハウまたはアイデアを説明するテキスト文書である場合、前記条件は、例えば、前記文書が特定の製品に関連していなければならないということ、またはその他であってもよい。
【００１５】
検索コントロールインタフェース２１１は、任意の適切な方法で実装されてもよい。例えば、図３で、検索コントロールインタフェース２１１は、お気に入りコントロール２１１０を具備する。お気に入りコントロール２１１０を使用することにより、データベース３内の好みの項目のリストが一覧表示されるようにすることができる。前記リストは、例えば、メモリ２５内に記憶されていてもよく、ユーザによる、前記データベース内の項目の以前の選択に基づいて、自動的に生成されてもよい。図３内の検索コントロール２１１は、さらに、「高度な検索」コントロール２１１１を有する。高度な検索コントロール２１１１は、広範検索インタフェースを提供し、例えばドイツ、ウォルドルフ市のＳＡＰ  ＡＧ（ＳＡＰ  ＡＧ（Ｗａｌｌｄｏｒｆ，Ｇｅｒｍａｎｙ））によりＴＲＥＸという名前で販売されている取得および分類エンジンを使用して、より複雑な検索を可能にする。
【００１６】
高度な検索コントロール２１１１を介して、ユーザは、検索プログラムを指定して、グラフィカルプログラムインタフェース２００の外部に検索インタフェースを開くことができる。前記検索プログラムインタフェースは、ユーザがより広範な検索条件を指定し、指定した条件を満足する項目をデータベース３内で検索することを可能にする。前記検索インタフェースは、同様に、グラフィカルプログラムインタフェース２００の一部として実装されてもよく、検索コントロールインタフェース２１１の一部であってもよい。
【００１７】
図１の例で、プロセッサ２４は、前記検索条件を使用してデータベース３内を検索し、ディスプレイ２１において前記検索の結果を出力するように配置されている。これに応じて、ディスプレイ２１内の前記グラフィカルプログラムインタフェースの内部にある視覚結果インタフェース２１２において、“ｏｂｊｅｃｔ  ｌｉｓｔ”（オブジェクトリスト）として、前記結果が視覚的に出力される。前記オブジェクトリストは、前記検索条件を満足する、データベース３内の１つまたは複数のオブジェクトを識別する、１つまたは複数の項目のリストである。
【００１８】
グラフィカルプログラムインタフェース２００は、さらに、視覚選択インタフェース２１３を有する。視覚選択インタフェース２１３では、視覚結果インタフェース２１２内の項目から選択されたものによる“ＷｏｒｋＬｉｓｔ”（ワークリスト）を視覚的に出力することができる。グラフィカルプログラムインタフェース２００は、視覚結果インタフェース２１２内に一覧表示された項目の少なくとも１つの要素に対して移動操作を実行するための、「移動」コントロール２１４を備えている。本例では、「移動」コントロール２１４は、マウス２３を使用して押すことが可能な、ディスプレイ２１において表示されるボタンを具備している。前記ボタンの押下に反応して、視覚結果インタフェース２１２内の選択された項目が、視覚選択インタフェース２１３に、移送またはコピーされる。ただし、「移動」コントロール２１４は、異なるように実装されてもよい。例えば、ユーザは、キーボード２２の特定のボタンを押すことにより、またはその他により、視覚結果インタフェース２１２から１つまたは複数の項目を選択してもよい。グラフィカルプログラムインタフェース２００は、「削除」コントロール２１５も有する。「削除」コントロール２１５を使用することにより、視覚選択インタフェース２１３から、前記結果の選択された部分を削除することができる。
【００１９】
図２に示すように、視覚結果インタフェース２１２および視覚選択インタフェース２１３は、互いに横に並ぶように配置されており、互いに上下になるようには配置されていない。それにより、前記検索の結果と、前記選択が、同時に表示されるようにすることができる。視覚結果インタフェース２１２または視覚選択インタフェース２１３内の項目の量が多い場合でも、前記インタフェース２１２と２１３が重なり合うことはない。したがって、前記視覚インタフェース２１２および２１３内のどの項目も、前記視覚インタフェース２１２および２１３のうちのもう一方によって覆い隠されることはない。
【００２０】
図３に詳しく示すように、視覚選択インタフェース２１３は、項目フィールド２１３１を具備し、項目フィールド２１３１のそれぞれの中には、視覚結果インタフェース２１２から選択された項目が表示される。ユーザは、コントロール２１３２を使用して、前記項目の１つまたは複数を選択することができる。ユーザは、次に、“ｓｅａｒｃｈ  ｆｏｒ  ｓｉｍｉｌａｒ”（類似検索）コントロール２１３４を使用して、選択された項目に関連する項目について、前記データベース内の検索を実行してもよい。“ｓｅａｒｃｈ  ｆｏｒ  ｓｉｍｉｌａｒ”（類似検索）コントロール２１３４は、例えば、プロセッサ２４により実行される動作を起動してもよい。前記動作内で、プロセッサ２４は、前記選択された項目に類似した特性を有するオブジェクト３１について、データベース３内を検索する。例えば、前記項目がテキスト文書を表す場合、プロセッサ２４は、同じトピックに関連する文書を検索してもよく、また、前記項目が社内の人名を現す場合、プロセッサ２４は、選択された人たちと同じ部門で勤務する他の人たちを、データベース３内で検索してもよい。この検索の結果は、次に、前記検索結果インタフェース内に表示される。
【００２１】
“ｓｅａｒｃｈ  ｆｏｒ  ｓｉｍｉｌａｒ”（類似検索）コントロール２１３４に加えて、図３の例内のユーザインタフェース２０は、前記選択されたものの少なくとも一部に関連する１つまたは複数のイベントをアクティブにするための、図３の参照番号２１３５で示されるその他のコントロールも有する。例えば、ユーザインタフェース２０は、前記項目の１つまたは複数に関連する第２のコンピュータプログラムを、コンピュータシステム２上に記憶されたプログラムコードにしたがうプロセッサステップによる実行を起動することにより始動させるためのコントロールを備えていてもよい。前記選択された項目が、例えば人名である場合、コントロール２１３５を使用することにより、例えば電子メールプログラムが始動され、それらの人に電子メールが送信されてもよいし、その他の動作が行われてもよい。例えば、前記項目が、データベース３に格納されているテキストの概念を表している場合、前記テキストを編集するためのテキストエディタプログラムが始動されてもよい。同様に、コントロール２１３５を使用して起動されるイベントは、２つまたはそれ以上の項目を１つの項目に結合すること、またはその他であってもよい。
【００２２】
視覚結果インタフェース２１２内では、データベース３内の前記検索操作の結果が、項目として一覧表示される。視覚結果インタフェース２１２内では、オブジェクト識別データ（ｏ．ｉ．ｄ．）が表示され、また、前記項目のその他の属性がフィールド２１２４に表示される。図３で、オブジェクト識別データ２１２３は、例えばハイパーリンクなどの、コントロールを備えており、前記コントロールを使用すれば、図３内の参照番号２１２３で示されているように、項目に関する情報を取得および表示することができる。また、評価フィールド２１２２には、前記１つまたは複数の検索条件と、前記一覧表示された項目との間の、相関性の量／適合度に関する情報を提供する、評価が出力される。
【００２３】
図３の参照番号２１２１、２１２３、２１２５、および２１２６で示すように、視覚結果インタフェース２１２は、さらに、コントロールを備えていてもよい。例えば、図３では、選択コントロール２１２１が装備されており、選択コントロール２１２１を使用することにより、ユーザは、視覚結果インタフェース２１２内に一覧表示されている１つまたは複数の項目を選択することができる。また、“ｓｅｌｅｃｔ  ａｌｌ”（すべてを選択）コントロール２１２５も装備されており、“ｓｅｌｅｃｔ  ａｌｌ”（すべてを選択）コントロール２１２５を使用することにより、ユーザは、視覚結果インタフェース２１２内のすべての項目を選択すること（および、「移動」コントロール２１４を使用して、前記項目を視覚選択インタフェース２１３に移送すること）ができる。“ｄｅｓｅｌｅｃｔ  ａｌｌ”（すべてを選択解除）コントロール２１２６を使用することにより、ユーザは、選択されているすべての項目を選択解除することができる。
【００２４】
グラフィカルプログラムインタフェース２００は、さらに、“ｓｏｒｔ”（並べ替え）コントロール２１０５も装備している。“ｓｏｒｔ”（並べ替え）コントロール２１０５を使用することにより、例えば、オブジェクトＩＤのアルファベット順、評価フィールド２１２２に出力されている評価、またはその他の順で、前記結果を並べ替えることができる。前記インタフェース２００は、表示コントロール２１０４も装備している。表示コントロール２１０４を使用することにより、前記ディスプレイ上にさまざまな表示を出力できる。また、「リターン」コントロール２１０１も存在し、「リターン」コントロールを使用することにより、ユーザは、以前の検索または他のブラウザウィンドウに戻ることができる。また、前記検索結果および検索条件をユーザが前記コンピュータシステムのメモリ内に保存すること、またはその他を可能にする、「保存」コントロールなどの、その他のコントロールが、図３のコントロール２１０２、２１０３に示すように装備されていてもよい。ユーザは、例えば、選択された検索結果のパーソナライズされたリストを保存することができ、前記パーソナライズされたリストは、後で、前記アイデアプールのさらなる調査や、類似した項目の検索などの開始点として使用できる。
【００２５】
ここで説明した計算態様は、デジタル電子回路内に実装することも、コンピュータハードウェア、ファームウェア、ソフトウェア内に実装することも、それらの組み合わせにより実装することも可能である。必要に応じて、これらのシステムおよび技術の態様は、プログラマブルプロセッサによる実行のために機械読み取り可能な記憶装置内で有形に実施されたコンピュータプログラム製品内に実装することが可能であり、方法のステップは、入力データへの操作を行って出力を生成することにより機能を実行する、命令のプログラムを実行するプログラマブルプロセッサにより実行されることが可能である。
【００２６】
また、本発明は、コンピュータ上で利用可能なリソースへのアクセスを提供するためのコンピュータ読み出し可能命令が内部で実施された、コンピュータで使用可能な媒体を有する生産品内に実装されてもよい。前記コンピュータ読み出し可能命令は、本発明による方法のステップを前記コンピュータに実行させるための命令を含む。また、本発明は、コンピュータシステム上で実行するためのコンピュータプログラムとして実装されてもよい。前記コンピュータプログラムは、コンピュータシステム上で実行される場合に本発明による方法のステップを実行するためのコード部分、または本発明にしたがって汎用コンピュータシステムがフィルタ装置の機能を実行できるようにするためのコード部分を少なくとも含む。そのようなコンピュータプログラムは、ＣＤ−ＲＯＭやディスケットなどのデータキャリア上に、コンピュータシステムのメモリ内にロード可能なコンピュータプログラムを表すデータとともに記憶されて、提供されてもよい。前記データキャリアは、さらに、本発明によるコンピュータプログラムを表す信号を伝送する、電話線やワイヤレス接続などのデータ接続であってもよい。
【００２７】
上述の実施形態は、本発明を制限するものではなく、例示するものであり、当業者は、添付の特許請求の範囲から逸脱することなく代替の実施形態を設計できることに留意されたい。例えば、図１で、データベース３はコンピュータ装置２の外部に示されているが、前記データベースは前記コンピュータ装置の内部に存在していてもよい。また、コンピュータ装置２および／またはデータベース３は、他の装置やシステムに接続されていてもよい。さらに、前記コンピュータシステムは、例えば、汎用コンピュータや携帯情報端末など、好適な任意の装置であってもよい。請求項内の、括弧の間に配置されたいかなる参照記号も、請求項を制限するものと解釈されてはならない。「具備する」「備えた」「含む」という言葉は、請求項内に示されていない要素やステップの存在を除外するものではない。複数の特定の手段が、相互に異なる請求項に記載されているという単なる事実は、それらの手段の組み合わせを有利に使用することができないということを示すものではない。
【図面の簡単な説明】
【００２８】
【図１】本発明によるコンピュータシステムの実施形態の例を示す。
【図２】図１の例の中で使用するのに適したユーザインタフェースの実施形態の例を示す。
【図３】図２の例をより詳しく示す。
【符号の説明】
【００２９】
１        コンピュータシステム
２        コンピュータ装置
３        データベース
２０      ユーザインタフェース
２１      ディスプレイ
２２      キーボード
２３      マウス
２４      プロセッサ
２５      メモリ
３１      オブジェクトまたは項目
２００    グラフィカルプログラムインタフェース
２１１    検索コントロールインタフェース
２１２    視覚結果インタフェース
２１３    視覚選択インタフェース
２１４    「移動」コントロール
２１５    「削除」コントロール
２１０１  「リターン」コントロール
２１０２  コントロール
２１０３  コントロール
２１０４  表示コントロール
２１０５  “ｓｏｒｔ”（並べ替え）コントロール
２１１０  お気に入りコントロール
２１１１  高度な検索コントロール
２１２１  選択コントロール
２１２２  評価フィールド
２１２３  オブジェクト識別データ
２１２４  フィールド
２１２５  “ｓｅｌｅｃｔ  ａｌｌ”（すべてを選択）コントロール
２１２６  “ｄｅｓｅｌｅｃｔ  ａｌｌ”（すべてを選択解除）コントロール
２１３１  項目フィールド
２１３２  コントロール
２１３４  “ｓｅａｒｃｈ  ｆｏｒ  ｓｉｍｉｌａｒ”（類似検索）コントロール
２１３５  コントロール
【図１】
2004348727.tif 000003
【図２】
2004348727.tif 000004
【図３】
2004348727.tif 000005
【外国語明細書】
2004348727.tif 000006
2004348727.tif 000007
2004348727.tif 000008
2004348727.tif 000009
2004348727.tif 000010
2004348727.tif 000011
2004348727.tif 000012
2004348727.tif 000013
2004348727.tif 000014
2004348727.tif 000015
2004348727.tif 000016
2004348727.tif 000017
2004348727.tif 000018
2004348727.tif 000019